(57)【要約】【課題】充電中には携帯端末と充電ヘッドとの安定した接触を保つ一方、充電中に携帯端末に着信した場合には、充電を継続しながら容易に通話可能な携帯端末充電装置を提供することを目的とする。【解決手段】本発明にかかる携帯端末充電装置１００は、携帯端末１０２と、携帯端末に接触して携帯端末に充電用の電力を供給する充電ヘッド１０４と、充電ヘッドから伸びている電源ケーブル１０６を巻き取り、巻き取った電源ケーブルが引っ張られると電源ケーブルを巻き出す巻取リール１０８と、を備え、携帯端末は、端末側充電端子１１０と、端末側充電端子に接続され、充電電流が流れることにより電磁石となる電磁コイル１１２と、を有し、充電ヘッド１０４は、端末側充電端子に接続される充電ヘッド側充電端子１１４と、電磁石となった電磁コイル１１２と磁力接合する鉄製の接合部１１６と、を有することを特徴とする。【選択図】図１
2010109778.tif 000002
【特許請求の範囲】
【請求項１】
携帯端末と、
前記携帯端末に接触して該携帯端末に充電用の電力を供給する充電ヘッドと、
前記充電ヘッドから伸びている電源ケーブルを巻き取り、巻き取った該電源ケーブルが引っ張られると該電源ケーブルを巻き出す巻取リールと、
を備え、
前記携帯端末は、
端末側充電端子と、
前記端末側充電端子に接続され、充電電流が流れることにより電磁石となる電磁コイルと、
を有し、
前記充電ヘッドは、
前記端末側充電端子に接触する充電ヘッド側充電端子と、
電磁石となった前記電磁コイルと磁力接合する鉄製の接合部と、
を有することを特徴とする携帯端末充電装置。
【請求項２】
携帯端末と、
前記携帯端末に接触して該携帯端末に充電用の電力を供給する充電ヘッドと、
前記充電ヘッドから伸びている電源ケーブルを巻き取り、巻き取った該電源ケーブルが引っ張られると該電源ケーブルを巻き出す巻取リールと、
を備え、
前記充電ヘッドは、
充電ヘッド側充電端子と、
前記充電ヘッド側充電端子に接続され、充電電流が流れることにより電磁石となる電磁コイルと、
を有し、
前記携帯端末は、
前記充電ヘッド側充電端子に接触する端末側充電端子と、
電磁石となった前記電磁コイルと磁力接合する鉄製の接合部と、
を有することを特徴とする携帯端末充電装置。
【請求項３】
前記巻取リールを固定するホルダをさらに備え、
前記ホルダは、前記巻取リールが前記電源ケーブルを巻き取ったとき、前記充電ヘッドを所定の位置に固着させ、前記携帯端末を一定の姿勢に支持しながら、前記端末側充電端子と、該固着された充電ヘッドの充電ヘッド側充電端子とを接触させることを特徴とする請求項１または２に記載の携帯端末充電装置。
【請求項４】
前記充電ヘッド側充電端子は前記接合部を兼ねていることを特徴とする請求項１または３に記載の携帯端末充電装置。
【請求項５】
前記端末側充電端子は前記接合部を兼ねていることを特徴とする請求項２または３に記載の携帯端末充電装置。
【請求項６】
前記携帯端末はさらに、
前記携帯端末の充電量を検知する充電量検知部と、
前記充電量検知部が満充電であることを検知すると、前記電磁コイルへの充電電流を停止する充電制御部と、
を有することを特徴とする請求項１から５のいずれか１項に記載の携帯端末充電装置。
【請求項７】
前記携帯端末はさらに、
前記携帯端末への着信を検知する着信検知部と、
前記着信が検知されると、前記電磁コイルへの充電電流を停止する充電制御部と、
を有することを特徴とする請求項１から５のいずれか１項に記載の携帯端末充電装置。
【請求項８】
前記携帯端末はさらに、前記電磁コイルへの充電電流を停止するための操作部を有することを特徴とする請求項１から７のいずれか１項に記載の携帯端末充電装置。
【請求項９】
前記ホルダは、前記電磁コイルへの充電電流を停止するための操作部を有することを特徴とする請求項３に記載の携帯端末充電装置。
【請求項１０】
端末側充電端子と、
前記端末側充電端子に接続され、充電電流が流れることにより電磁石となる電磁コイルと、
を備えることを特徴とする携帯端末。
【請求項１１】
携帯端末に設けられた端末側充電端子に接触する充電ヘッド側充電端子と、
前記携帯端末に設けられ電磁石となった電磁コイルと磁力接合する鉄製の接合部と、
を備えることを特徴とする充電ヘッド。
【発明の詳細な説明】
【技術分野】
【０００１】
本発明は、携帯端末を充電する携帯端末充電装置に関するものである。
【背景技術】
【０００２】
携帯端末をその充電器に固定する際には、従来、充電器に設けられた例えばフックなどに携帯端末を引っ掛けることによって、機械的な構成で固定を行っていた（例えば特許文献１）。
【０００３】
また、特許文献２には、充電しながら通話を行うことが可能なように、電源ケーブルが長尺物となっている携帯電話機が開示されている。
【特許文献１】特開２００８−２５２５３４号公報
【特許文献２】特開平１０−２８１５２号公報
【発明の開示】
【発明が解決しようとする課題】
【０００４】
しかし特許文献１のような機械的な構成では、携帯端末を充電器から取り外す際、充電器を動かないように押さえつつ、携帯端末を充電器から持ち上げることが必要であり、フックを外す手間が煩雑である。
【０００５】
一方、特許文献２のような技術の場合、充電しながら通話が可能であるが、携帯電話機には、常に長尺の電源ケーブル接続されているので、通話時に電源ケーブルが邪魔に感じられる。
【０００６】
本発明は、このような課題に鑑み、充電中には携帯端末と充電手段との安定した接触を保つ一方、充電中に携帯端末に着信した場合には、充電手段から携帯端末を取り外すことなく、充電を継続しながら容易に通話可能な携帯端末充電装置、携帯端末および充電ヘッドを提供することを目的としている。
【課題を解決するための手段】
【０００７】
上記課題を解決するために、本発明にかかる携帯端末充電装置の代表的な構成は、携帯端末と、携帯端末に接触して携帯端末に充電用の電力を供給する充電ヘッドと、充電ヘッドから伸びている電源ケーブルを巻き取り、巻き取った電源ケーブルが引っ張られると電源ケーブルを巻き出す巻取リールと、を備え、携帯端末は、端末側充電端子と、端末側充電端子に接続され、充電電流が流れることにより電磁石となる電磁コイルと、を有し、充電ヘッドは、端末側充電端子に接続される充電ヘッド側充電端子と、電磁石となった電磁コイルと磁力接合する鉄製の接合部と、を有することを特徴とする。
【０００８】
上記の構成によれば、充電中には、電磁石が携帯端末と充電ヘッドとを磁力接合しているため、両者の安定した接触が保たれる。また、充電中に携帯端末に着信があった場合には、携帯端末を、磁力接合している充電ヘッドごと引っ張ることにより、巻取リールが電源ケーブルを巻き出す。これにより、話者の耳元まで携帯端末を引き寄せることができ、充電を継続したまま、容易に通話可能である。
【０００９】
上記課題を解決するために、本発明にかかる携帯端末充電装置の他の代表的な構成は、携帯端末と、携帯端末に接触して携帯端末に充電用の電力を供給する充電ヘッドと、充電ヘッドから伸びている電源ケーブルを巻き取り、巻き取った電源ケーブルが引っ張られると電源ケーブルを巻き出す巻取リールと、を備え、充電ヘッドは、充電ヘッド側充電端子と、充電ヘッド側充電端子に接続され、充電電流が流れることにより電磁石となる電磁コイルと、を有し、携帯端末は、充電ヘッド側充電端子に接触する端末側充電端子と、電磁石となった電磁コイルと磁力接合する鉄製の接合部と、を有することを特徴とする。
【００１０】
携帯端末充電装置は、上述の巻取リールを固定するホルダをさらに備え、ホルダは、巻取リールが電源ケーブルを巻き取ったとき、充電ヘッドを所定の位置に固着させ、携帯端末を一定の姿勢に支持しながら、端末側充電端子と、固着された充電ヘッドの充電ヘッド側充電端子とを接触させるとよい。
【００１１】
上記の構成によれば、ホルダに携帯端末を一定の姿勢で支持させることにより、携帯端末を充電ヘッドに位置合わせして両者を適正に接触させることが容易になる。
【００１２】
上記の充電ヘッド側充電端子は上記の接合部を兼ねていてもよい。充電ヘッド側充電端子を鉄製とすれば、携帯端末側で電磁石となった電磁コイルと磁力接合可能であり、接合部を別途用意する必要がないからである。
【００１３】
上記の端末側充電端子は上記の接合部を兼ねていてもよい。端末側充電端子を鉄製とすれば、充電ヘッド側で電磁石となった電磁コイルと磁力接合可能であり、接合部を別途用意する必要がないからである。
【００１４】
上記の携帯端末はさらに、携帯端末の充電量を検知する充電量検知部と、充電量検知部が満充電であることを検知すると、電磁コイルへの充電電流を停止する充電制御部と、を有してもよい。
【００１５】
上記の構成によれば、満充電になることにより、自動的に磁力接合が解除され、携帯端末だけを取り上げることができる。
【００１６】
上記の携帯端末はさらに、携帯端末への着信を検知する着信検知部と、着信が検知されると、電磁コイルへの充電電流を停止する充電制御部と、を有してもよい。
【００１７】
上記の構成によれば、着信時には自動的に磁力接合が解除され、携帯端末だけを取り上げて通話可能である。
【００１８】
上記の携帯端末はさらに、電磁コイルへの充電電流を停止するための操作部を有してもよい。かかる構成により、携帯端末と充電ヘッドは、接触を保っていながら充電停止となり、両者を自由に取り外し可能となる。
【００１９】
上記のホルダは、電磁コイルへの充電電流を停止するための操作部を有してもよい。かかる構成によっても、携帯端末と充電ヘッドは、接触を保っていながら充電停止となり、両者を自由に取り外し可能となる。
【００２０】
上記課題を解決するために、本発明にかかる携帯端末の代表的な構成は、端末側充電端子と、端末側充電端子に接続され、充電電流が流れることにより電磁石となる電磁コイルと、を備えることを特徴とする。
【００２１】
上記課題を解決するために、本発明にかかる充電ヘッドの代表的な構成は、携帯端末に設けられた端末側充電端子に接触する充電ヘッド側充電端子と、携帯端末に設けられ電磁石となった電磁コイルと磁力接合する鉄製の接合部と、を備えることを特徴とする。
【発明の効果】
【００２２】
本発明によれば、充電中には携帯端末と、充電用の充電ヘッドとの安定した接触を保つ一方、充電完了後には、充電ヘッドから携帯端末を容易に取り外すことが可能となる。また、充電中に携帯端末に着信した場合にも、充電を継続しながら容易に通話可能である。
【発明を実施するための最良の形態】
【００２３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２４】
（第１の実施形態）
図１は、本発明にかかる携帯端末充電装置の第１の実施形態を示す図である。携帯端末充電装置１００は、携帯端末１０２と、携帯端末１０２に接触して携帯端末１０２に充電用の電力を供給する充電ヘッド１０４と、充電ヘッド１０４から伸びている電源ケーブル１０６を巻き取り、巻き取った電源ケーブル１０６が引っ張られると電源ケーブル１０６を巻き出す巻取リール１０８と、を備える。
【００２５】
巻取リール１０８は、充電ヘッド１０４と、商用電源１０９に接続されるＡＣアダプタ１１１との間に位置する。本実施形態で用いる巻取リール１０８は、電源ケーブル１０６を巻き取ることによって伸縮させるが、電源ケーブル１０６を伸縮させることが可能なものであれば、いかなる手段を用いてもよい。
【００２６】
巻取リール１０８は、充電ヘッド１０４が携帯端末１０２に接続されていず、自由であるときには、巻取リール１０８から充電ヘッド１０４までの電源ケーブル１０６をすべて巻き取る。これにより、充電時を除いて、電源ケーブル１０６が不要に伸びて邪魔になることがないようにしている。
【００２７】
本実施形態では携帯端末１０２として携帯電話を挙げているが、かかる場合に限られず、ＰＨＳ端末、無線通信機能を備える、ＰＤＡ（Personal Digital Assistant）、デジタルカメラ、音楽プレイヤー、カーナビゲーション、ポータブルテレビ、ゲーム機器、ＤＶＤプレイヤー、リモートコントローラ等、携帯可能な様々な電子機器を携帯端末１０２として用いることができる。
【００２８】
携帯端末１０２を充電するときは、まず図１（ａ）に示すように、充電ヘッド１０４を携帯端末１０２に接続し、図１（ｂ）に示すようにＡＣアダプタ１１１を商用電源１０９に接続する。
【００２９】
図２は、図１の携帯端末１０２と充電ヘッド１０４との接触部分の一例を示す模式図である。携帯端末１０２は、端末側充電端子１１０と、端末側充電端子１１０に接続され、充電電流が流れることにより電磁石となる電磁コイル１１２と、を有し、充電ヘッド１０４は、端末側充電端子１１０に接続される充電ヘッド側充電端子１１４と、電磁石となった電磁コイル１１２と磁力接合する鉄製の接合部１１６と、を有する。
【００３０】
電磁コイル１１２は、鉄心に巻いたコイルに電流を流し、鉄心を磁石として用いるものであり、コイルに電流を流すと磁気が発生することを利用したものである。
【００３１】
上記の構成によれば、充電中には、電磁石（電磁コイル１１２）が接合部１１６と磁力接合することにより、携帯端末１０２と充電ヘッド１０４とを磁力接合しているため、両者の安定した接触が保たれる。また、充電中に携帯端末１０２に着信があった場合には、図１（ｃ）に示すように、携帯端末１０２を、磁力接合している充電ヘッド１０４ごと引っ張ることにより、巻取リール１０８が電源ケーブル１０６を巻き出す。これにより、話者の耳元まで携帯端末１０２を引き寄せることができ、充電を継続したまま、容易に通話可能である。
【００３２】
なお、本実施形態では電磁コイルは携帯端末１０２側に設けられているが、逆に、充電ヘッド１０４側に電磁コイルを設け、携帯端末１０２側に接合部１１６を設ける構成としてもよい。かかる逆転した構成は、本実施形態だけでなく、すべての実施形態についても可能である。
【００３３】
また、鉄製の接合部１１６は、外部磁場による磁化を受けた時にしか磁石としての性質を有しない、軟鉄にするのが望ましい。
【００３４】
（第２の実施形態）
図３は、本発明にかかる携帯端末充電装置の第２の実施形態を示す図である。第１の実施形態である携帯端末充電装置１００と異なる点は、携帯端末充電装置２００が、上述の巻取リール１０８を固定するホルダ１１８をさらに備える点である。巻取リール１０８は、ホルダ１１８の内部に埋設して固定されている。
【００３５】
ホルダ１１８は、巻取リール１０８が電源ケーブル１０６を巻き取ったとき、図３（ａ）に示すように、充電ヘッド１０４を所定の位置に固着させる。したがって、図３（ｂ）に示すように、携帯端末１０２を一定の姿勢に支持しながら、端末側充電端子１１０と、固着された充電ヘッド１０４の充電ヘッド側充電端子１１４とを接触させる。
【００３６】
上記の構成によれば、図３（ｂ）のように、ホルダ１１８に携帯端末１０２を一定の姿勢で支持させることにより、携帯端末１０２を充電ヘッド１０４に位置合わせして両者を適正に接触させることが容易になる。
【００３７】
また、第１の実施形態と同様に、充電中には、携帯端末１０２と充電ヘッド１０４との安定した接触を保ち、充電中に携帯端末１０２に着信があった場合には、図３（ｃ）に示すように、携帯端末１０２を充電ヘッド１０４ごと引っ張ることにより、話者の耳元まで携帯端末１０２を引き寄せることができ、充電を継続したまま、容易に通話可能である。
【００３８】
ホルダ１１８は、充電ヘッド１０４ごと携帯端末１０２を引っ張っても動かないよう、十分な重量のあるものとするとよい。ホルダ１１８に埋設された巻取リール１０８から巻き出される電源ケーブル１０６は、ホルダ１１８に設けられた穴１１９を通して、携帯端末１０２まで伸びる。
【００３９】
なお、図３の携帯端末１０２と充電ヘッド１０４との接触部分は、図２と同様にしてよい。
【００４０】
（充電ヘッド側充電端子）
図４は第１および第２の実施形態のいずれにも適用可能な、図２とは異なる、携帯端末１０２と充電ヘッド１０４との接触部分の他の例を示す模式図である。
【００４１】
図４の場合、充電ヘッド側充電端子１１５は鉄製であり、図２の接合部１１６に代わって、電磁石となった電磁コイル１１２と磁力接合する。すなわち、充電ヘッド側充電端子１１５が携帯端末１０２との接合部を兼ねている。充電ヘッド側充電端子１１５を鉄製とすれば、携帯端末１０２側で電磁石となった電磁コイル１１２と磁力接合可能であり、接合部１１６を別途用意する必要がなく、製造コストを低減できる。なお、図４では電磁コイル１１２を２つ設けているが、いずれか１つだけでもよい。
【００４２】
（満充電による充電停止）
図５は図１および図３の携帯端末１０２のブロック図である。図５に示すように、携帯端末１０２はさらに、携帯端末１０２の充電量を検知する充電量検知部１２０と、充電量検知部１２０が満充電であることを検知すると、電磁コイル１１２への充電電流を停止する充電制御部１２２と、を有する。充電量検知部１２０は、バッテリ１２１に充電を行う充電回路１４２から、充電量を検知する。
【００４３】
上記の構成によれば、満充電になることにより、自動的に磁力接合が解除され、携帯端末１０２だけを充電ヘッド１０４から離脱させて取り上げることができる。通話時等に持ち上げる必要があるのは携帯端末１０２だけであるから、ユーザはより簡単に通話等をすることが可能である。
【００４４】
（着信による充電停止）
図５に示すように、携帯端末１０２はさらに、携帯端末１０２への着信を検知する着信検知部１２４を有する。そして充電制御部１２２は、着信検知部１２４によって着信が検知されると、充電回路１４２を介して、電磁コイル１１２への充電電流を停止する。
【００４５】
上記の構成によれば、着信時には自動的に磁力接合が解除され、携帯端末１０２だけを取り上げて通話可能である。この場合も、通話時等に持ち上げる必要があるのは携帯端末１０２だけであるから、ユーザはより簡単に通話等をすることが可能である。
【００４６】
また、着信によって充電制御部１２２が充電を停止すると、充電は一時中断されるが、ユーザが近くにいないなどの理由で電話に出なかった場合には、着信が途絶えてから一定時間の後、充電制御部１２２は、充電を再開してよい。また通話を実行した場合においても、再び携帯端末１０２を充電ヘッド１０４と接触させることで、充電制御部１２２は充電を再開できることは言うまでもない。
【００４７】
図５に示すように、携帯端末１０２は、その他、端末制御部１３０と、メモリ１３２と、表示部１３４と、音声入力部１３６と、音声出力部１３８と、無線通信部１４０と、を含んで構成される。
【００４８】
端末制御部１３０は、中央処理装置（ＣＰＵ）を含む半導体集積回路により携帯端末１０２全体を管理および制御し、メモリ１３２のプログラムを用いて、通話機能、メール送受信機能、撮像機能、音楽再生機能、ＴＶ視聴機能も遂行する。メモリ１３２は、ＲＯＭ、ＲＡＭ、ＥＥＰＲＯＭ、不揮発性ＲＡＭ、フラッシュメモリ、ＨＤＤ等で構成され、端末制御部１３０で処理されるプログラムを記憶する。
【００４９】
表示部１３４は、液晶ディスプレイ、ＥＬ(Electro Luminescence)ディスプレイ等で構成され、メモリ１３２に記憶された、または通信網１６０を介してサーバ（図示せず）から提供される、ＷｅｂコンテンツやアプリケーションのＧＵＩ（Graphical User Interface）を表示することができる。
【００５０】
音声入力部１３６は、マイク等の音声変換手段で構成され、通話時に入力されたユーザの音声を携帯端末１０２内で処理可能な電気信号に変換する。音声出力部１３８は、スピーカで構成され、携帯端末１０２で受信した通話相手の音声信号を音声に変えて出力する。また、音声出力部１３８は、着信音や、操作部１２６の操作音、アラーム音等も出力できる。
【００５１】
無線通信部１４０は、例えば、ＣＤＭＡ（Code Division Multiple Access）やＷｉＭＡＸ（Worldwide Interoperability for Microwave Access）等のネットワークを通じた基地局１５０との無線通信を確立し、通信相手との音声通信やアプリケーションサーバ（図示しない）とのデータ通信を遂行する。
【００５２】
（充電停止用の操作部：携帯端末に設けた場合）
図６は図５の携帯端末の一例を示す外観図である。図５および図６に示すように、携帯端末１０２はさらに、電磁コイル１１２への充電電流を停止するための操作部１２６を有する。
【００５３】
操作部１２６は、キーボード、十字キー、ジョイスティック、タッチパネル等のスイッチで構成され、ユーザの操作入力を受け付ける。これらのうち、いずれの部位に電磁コイル１１２への充電電流を停止する機能を割り当ててもよい。操作部１２６の所定の部位を押している間だけ、携帯端末１０２は、充電ヘッド１０４から取り外し可能となる。
【００５４】
かかる構成により、携帯端末１０２と充電ヘッド１０４は、接触を保っていながら充電停止となり、両者を自由に取り外し可能となる。
【００５５】
図７は、図５および図６の携帯端末１０２に設けられた操作部１２６を操作した場合の動作例を示すフローチャートである。図７に示すように、充電を開始した後、操作部１２６を操作する（ステップＳ２１０）と、携帯端末１０２が電源ＯＮ状態で充電されていた場合（ステップＳ２２０のＹＥＳ）、操作部１２６の操作中のみ、充電が停止する（ステップＳ２３０）。したがって、操作部１２６の操作中のみ、携帯端末１０２を、充電ヘッド１０４から取り外し可能となる（ステップＳ２４０）。
【００５６】
一方、携帯端末１０２が電源ＯＦＦ状態で充電されていた場合（ステップＳ２２０のＮＯ）、電源ＯＮとしてから、充電を停止する（ステップＳ２５０）。その後は、ステップＳ２４０に進み、操作部１２６の操作中のみ、携帯端末１０２を、充電ヘッド１０４から取り外し可能となる。
【００５７】
（充電停止用の操作部：ホルダに設けた場合）
第２の実施形態のようにホルダ１１８が存在する場合には、携帯端末１０２に設けられた上記の操作部１２６に代えて、図３に示すように、ホルダ１１８に、充電を停止させる操作部１２８を設けてもよい。この場合、図３に示す操作部１２８を押すことで、電源ケーブル１０６への電力供給が切断され、充電停止に至る（接続関係は図示省略）。かかる構成によっても、携帯端末１０２と充電ヘッド１０４は、接触を保っていながら充電停止となり、両者を自由に取り外し可能となる。
【００５８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５９】
本発明は、携帯端末を充電する携帯端末充電装置、携帯端末および充電ヘッドに利用することができる。
【図面の簡単な説明】
【００６０】
【図１】本発明にかかる携帯端末充電装置の第１の実施形態を示す図である。
【図２】図１の携帯端末と充電ヘッドとの接触部分の一例を示す模式図である。
【図３】本発明にかかる携帯端末充電装置の第２の実施形態を示す図である。
【図４】図２とは異なる、携帯端末と充電ヘッドとの接触部分の他の例を示す模式図である。
【図５】図１および図３の携帯端末のブロック図である。
【図６】図５の携帯端末の一例を示す外観図である。
【図７】図５および図６の携帯端末に設けられた操作部を操作した場合の動作例を示すフローチャートである。
【符号の説明】
【００６１】
１００、２００  …携帯端末充電装置
１０２  …携帯端末
１０４  …充電ヘッド
１０６  …電源ケーブル
１０８  …巻取リール
１１０  …端末側充電端子
１１２  …電磁コイル
１１４、１１５  …充電ヘッド側充電端子
１１６  …接合部
１１８  …ホルダ
１２０  …充電量検知部
１２２  …充電制御部
１２４  …着信検知部
１２６、１２８  …操作部
【図１】
2010109778.tif 000003
【図２】
2010109778.tif 000004
【図３】
2010109778.tif 000005
【図４】
2010109778.tif 000006
【図５】
2010109778.tif 000007
【図６】
2010109778.tif 000008
【図７】
2010109778.tif 000009